(57)【特許請求の範囲】
【請求項１】
シェルを含む相手コネクタと電気的に接続される電気コネクタにおいて、
基部と基部から突出する舌片とを有する絶縁性本体と、
前記絶縁性本体に挿入され、前記舌片の前部において相手コネクタと電気的に接続される接続部を有する複数の第１導電端子と、
前記第１導電端子と係合し、前記第１導電端子と前記相手コネクタのシェルとの間に位置して第１導電端子がシェルと接触することを防止できる保持部材と、
を備え、
前記保持部材が、前記絶縁性本体の前記舌片の前部において、前記第１導電端子によって着脱可能に取付けられ、前記保持部材が、前記第１導電端子の接続部を収納するための凹溝と当該凹溝を覆う前壁とを含む主体部を有し、
前記第１導電端子の前記接続部には、前記接続部の延在方向と実質的に直交の嵌合方向に沿って延在する嵌合部が設けられ、前記保持部材の凹溝には、前記嵌合方向に沿って延在する嵌合溝が形成され、前記嵌合部が前記保持部材の嵌合溝に嵌合されることを特徴とする電気コネクタ。
【請求項２】
前記電気コネクタは、前記絶縁性本体に挿入され、前記舌片の後部において相手コネクタと電気的に接続される接触部を有する複数の第２導電端子を有し、前記第１導電端子の前記接続部が弾力性を具備せず、前記第２導電端子の前記接触部が弾力性を具備し、前記第１導電端子の前記接続部と前記第２導電端子の前記接触部とが異なる高さに位置しており、前記第１導電端子の前記接続部が、前記舌片から突出して配置されており、前記第１導電端子の前記接続部と前記第２導電端子の前記接触部とが前記絶縁性本体の前記舌片の同一側に配置されることを特徴とする請求項１に記載の電気コネクタ。
【請求項３】
前記第２導電端子が、相手方向に沿って絶縁性本体に装入され、前記第１導電端子が、前記相手方向と対向する方向に沿って絶縁性本体に装入されることを特徴とする請求項１に記載の電気コネクタ。
【請求項４】
前記第１導電端子が、絶縁性本体に固持され前記接続部に対して平行に延在する固持部と、前記固持部と前記接続部とを連接する折曲部とを有し、前記保持部材の前壁が前記第１導電端子と相手コネクタのシェルとの間に位置することを特徴とする請求項１に記載の電気コネクタ。
【発明の詳細な説明】
【技術分野】
【０００１】
本発明は、電気コネクタに関し、特に、内部に電子部材が設けられるＵＳＢ（Ｕｎｉｖｅｒｓａｌ  Ｓｅｒｉａｌ  Ｂｕｓ）コネクタに関するものである。
【背景技術】
【０００２】
電気コネクタが基板に半田接続されて相手プラグと接続する時、ＥＳＤ（Ｅｌｅｃｔｒｏｓｔａｔｉｃ  Ｄｉｓｃｈａｒｇｅ）のような状況が発生し易い。また、ＥＳＤによって引き起こされる高電圧によって、半導体のような電子装置は破損され易いので、結果として、電気コネクタが回路基板に半田接続される時、回路基板に設けられる電子装置が破損され易くなる。
【０００３】
図１６に示すように、複数の導電端子６０が電気コネクタ３００に挿入される。該電気コネクタ３００は、相手端子７０が設けられる相手コネクタ２００と電気的に接続する。相手コネクタ２００には、相手端子７０を遮蔽するシェル８０が設けられる。該電気コネクタ３００が相手コネクタ２００と電気的に接続される時、導電端子６０がシェル８０と接触し易い。
【発明の開示】
【発明が解決しようとする課題】
【０００４】
電気コネクタ３００が相手コネクタ２００と電気的に接続される時、導電端子６０がシェル８０と接触し易い。導電端子６０がシェル８０と接触すると、ＥＳＤが発生し易くなる。
【０００５】
そこで本発明の目的は、ＥＳＤを防止することできる電気コネクタを提供することにある。
【課題を解決するための手段】
【０００６】
前記目的を達成するために、本発明の電気コネクタは、シェルを含む相手コネクタと電気的に接続される。電気コネクタは、絶縁性本体と、複数の第１導電端子と、複数の第２導電端子と、保持部材とを備える。絶縁性本体は、基部と、基部から突出する舌片とを有する。第１導電端子は、前記絶縁性本体に挿入され、前記舌片の前部において相手コネクタと電気的に接続する接続部を有する。第２導電端子は、前記絶縁性本体に挿入され、前記舌片の後部において相手コネクタと電気的に接続する接触部を有する。保持部材は、前記第１導電端子と係合し、前記第１導電端子と前記相手コネクタのシェルとの間に位置し、第１導電端子がシェルと接触することを防止できる。
【発明の効果】
【０００７】
従来の技術に比べると、本発明は以下の長所を有する。本発明の保持部材は、前記第１導電端子と係合し、前記第１導電端子と前記相手コネクタのシェルとの間に位置される。保持部材のブロックによって、第１導電端子がシェルと接触することを防止できる。これにより、ＥＳＤ保護が提供される。
【発明を実施するための最良の形態】
【０００８】
図１〜図３に示すように、本発明の電気コネクタ１００はＵＳＢコネクタであり、他のタイプのコネクタであっても良い。電気コネクタ１００は、図１６に示される相手コネクタ２００と接続される。相手コネクタ２００はシェル８０を含む。電気コネクタ１００は、絶縁性本体１０と、絶縁性本体１０に挿入される複数の導電端子２０と、絶縁性本体１０に実装される一対の保持部材４０と、前記導電端子２０を位置する定位部材５０と、絶縁性本体１０を覆う遮蔽部材３０と、内蓋体３９と、後蓋体３８とを備える。
【０００９】
図４及び図５に示すように、絶縁性本体１０は、本体部１３と、本体部１３から突出する上部舌片１４、下部舌片１５と、上部舌片１４と下部舌片１５との間に設けられる中間片１６とを具備する。上部舌片１４及び下部舌片１５には、それぞれ複数の挿入溝１４１と複数の端子溝１４２とが形成される。上部舌片１４及び下部舌片１５はそれぞれ、両側に形成される一対の凹所１４６を有する。上部舌片１４及び下部舌片１５はそれぞれ、上側面１４３と、下側面１４４と、前表面１４５とを含む。中間片１６の前端面には、相手コネクタ２００と電気的に接続する接続面１７が設けられる。本体部１３の底面には取付面１９が形成される。本体部１３の後端には後端面１８が形成される。中間片１６の長さは、上部舌片１４及び下部舌片１５の長さより長い。
【００１０】
図６及び図７を参照すると、保持部材４０は、接続面４３を含む主体部４１と、主体部４１の後面４７の両端から後向きに突出する一対の凸柱４６と、該一対の凸柱４６の間に形成される複数の凹溝４４とを有する。凹溝４４は、底面４５と後面４７とを貫通する。各凹溝４４には、ブロック４４２が設けられる。各凹溝４４には、凹溝４４の後面４５からブロック４４２の内部に向かって延在する固持溝４４１が形成される。
【００１１】
図３及び図９に示すように、導電端子２０は、弾力性を具備しない第１端子グループ２１と、弾力性を具備する第２端子グループ２２とを含む。第１端子グループ２１の各導電端子が、固持部２１１と、固持部２１１の前端から下向きに折曲される折曲部２１２と、折曲部２１２から折曲されて前記固持部２１１に対して平行に延在する接続部２１４と、接続部２１４の前端から上向きに延在する嵌合部２１５と、固持部２１１の末端から下向きに延在する半田接続部２１３とを有する。第２端子グループ２２の各導電端子は、固定部２２１と、固定部２２１と連接する弾力性ビーム２２２と、弾力性ビーム２２２の前端に設けられる接触部２２３と、固定部２２１の末端から下向きに延在する半田接続足２２４とを備える。
【００１２】
図８及び図９を参照すると、複数の第１端子グループ２１の固持部２１１は、組み立てる前に先細な形状に形成される。保持部材４０が組み立て前の状態における第１端子グループ２１に装着される。第１端子グループ２１の接続部２１４が保持部材４０の凹溝４４に挿入され、ブロック４４２を被覆する。第１端子グループ２１の嵌合部２１５が固持溝４４１に嵌合される。第１端子グループ２１の固持部２１１が前端面１７から上側面１４３に沿って絶縁性本体１０の挿入溝１４１に挿入された後Ｌ字状のように折曲される。保持部材４０の凸柱４６が絶縁性本体１０の凹所１４６に嵌め込まれる。次に、第２端子グループ２２は後端面１８から下側面１４４に沿って絶縁性本体１０の端子溝１４２に挿入され、接触部２２３が端子溝１４２から露出される。上部舌片１４及び下部舌片１５に挿入される第１、第２端子グループ２１，２２は、相手方向に沿って互いに重ならないように配置される。第１、第２端子グループ２１，２２の接続部２１４、接触部２２３は、異なる高さに配置され、それぞれ舌片の前部、後部において相手コネクタ２００と接続される。
【００１３】
定位部材５０には階段状に配置される複数の定位溝５１が形成される。定位部材５０が絶縁性本体１０の後端に挿入される。第１、第２端子グループ２１，２２の半田接続部２１３、半田接続足２２４は、定位部材５０の対応する定位溝５１に挿入される。
【００１４】
内蓋体３９は絶縁性本体１０の中間片１６を被覆する。遮蔽部材３０は絶縁性本体１０を覆う。遮蔽部材３０は、頂壁３２と、頂壁３２と対向する底壁３５と、一対の側壁３３とを備える。底壁３５には、内部に向かって突出した相手コネクタ２００のシェル８０を当接可能な複数の弾力ビーム３６と、側壁３３から下向きに延在して回路基板（図示せず）に連接される複数の取付部３７とを備える。後蓋体３８は遮蔽部材３０の後部と係合する。
【００１５】
保持部材４０が絶縁性本体１０に着脱可能に取付けられる。他の実施状態において、保持部材４０は絶縁性本体１０と一体とされることが好ましい。第１端子グループ２１は、保持部材４０に挿入される。保持部材４０の前壁４２は、第１端子グループ２１の嵌合部２１５と接続面４３との間に位置する。これにより、第１端子グループ２１がシェル８０と接触しなくて、ＥＳＤを阻止できる。図２に示す電気コネクタ１００が、下端口１１，１２のような二つの端口を含んで、一つの端口或いは多くの端口を含むことが好ましい。
【００１６】
図１０〜１５を参照すると、本発明の第２実施形態における電気コネクタ１００’は、絶縁性本体１０’と、絶縁性本体１０’に挿入される複数の導電端子２０’と、遮蔽部材３０’と、内蓋体３９’と、後蓋体３８’とを備える。導電端子２０’は、第１、第２端子グループ２１’、２２’を含む。第２実施形態の電気コネクタ１００’の構造は、第１実施形態の電気コネクタ１００の構造と略同一であり、第２実施形態の絶縁性本体１０’と第１端子グループ２１’との構造が、第１実施形態の対応する構造と異なる。
【００１７】
図１２に示すように、絶縁性本体１０’は、本体部１３’と、本体部１３’から突出する上部舌片１４’及び下部舌片１５’と、上部舌片１４’と下部舌片１５’との間に設けられる中間片１６’とを有する。上部舌片１４’及び下部舌片１５’にはそれぞれ、複数の挿入溝１４８’が形成される。挿入溝１４８’には定位柱１４７’が設けられる。
【００１８】
図１３に示すように、第１導電端子グループ２１の各導電端子は、固持部２１１’と、固持部２１１’の前端から折曲される折曲部２１２’と、各折曲部２１２’に形成される定位孔２１５’と、折曲部２１２’から折曲されて固持部２１１’に対して平行に延在する接続部２１４’と、固持部２１１’の末端から下向きに延在する半田接続部２１３’とを含む。  
【００１９】
第１端子グループ２１’は、絶縁性本体１０’の上側面１４３’に沿って挿入溝１４８’に挿入され、定位孔２１５’は定位柱１４７’と係合する。
【００２０】
折曲部２１２’と前端面１７’との間には所定の距離が存在する。定位柱１４７’が折曲部２１２’から突出する。これにより、第１端子グループ２１が相手コネクタ２００のシェル８０と接触しなくて、ＥＳＤを阻止できる。
【００２１】
以上、本発明について好ましい実施形態を参照して詳細に説明したが、実施形態はあくまでも例示的なものであり、これらに限定されるものではない。また上述の説明は、本発明に基づき成し得る細部の修正或は変更などは、いずれも本発明の技術的範囲に属するものである。
【図面の簡単な説明】
【００２２】
【図１】本発明の第１実施状態における電気コネクタの組立図である。
【図２】図１に示す電気コネクタの他の組立図である。
【図３】図２に示電気コネクタの分解斜視図である。
【図４】図１に示す絶縁性本体の斜視図である。
【図５】図４に示す絶縁性本体の側視図である。
【図６】図３に示す保持部材の立体図である。
【図７】図６に示す保持部材の断面図である。
【図８】始めの状態における第１端子グループが挿入される保持部材が絶縁性本体に挿入されていない時の部分組立図である。
【図９】導電端子が絶縁性本体に挿入される組立図である。
【図１０】本発明の第２実施形態における電気コネクタの組立図である。
【図１１】図１０に示す電気コネクタの分解斜視図である。
【図１２】図１０に示す電気コネクタの絶縁性本体の斜視図である。
【図１３】図１０に示す第１導電端子グループの斜視図である。
【図１４】図１１の断面図である。
【図１５】図１４に示す標号される部分の広大図である。
【図１６】従来技術における電気コネクタと相手コネクタとの断面図である。
【符号の説明】
【００２３】
１００  電気コネクタ
１０  絶縁性本体
１１  上端口
１２  下端口
１３、１３’  本体部
１４、１４’  上部舌片
１４１  挿入溝
１４２  端子溝
１４３、１４３’  上側面
１４４  下側面
１４５  前表面
１４６  凹所
１４７’  挿入溝
１４８’  定位柱
１５、１５’  下部舌片
１６、１６’  中間片
１７、１７’  前端面
１８  後端面
１９  取付面
２０  導電端子
２００  相手コネクタ
２１  第１端子グループ
２１１、２１１’  固持部
２１２、２１２’  折曲部
２１３、２１３’  半田接続部
２１４、２１４’  接続部
２１５  嵌合部
２１５’  定位孔
２２  第２端子グループ
２２１  固定部
２２２  弾力性ビーム
２２３  接触部
２２４  半田接続足
３０  遮蔽部材
３００  従来の電気コネクタ
３２  頂壁
３３  側壁
３５  底壁
３６  弾力ビーム
３７  取付部
３８  後蓋体
３９  内蓋体
４０  保持部材
４１  主体部
４２  前壁
４３  接続面
４４  開溝
４４１  固持溝
４４２  ブロック
４５  底面
４６  凸柱
４７  後面
５０  定位部材
５１  定位溝
６０  導電端子
７０  相手端子
８０  シェル
【図１】
0004943404.tif 000002
【図２】
0004943404.tif 000003
【図３】
0004943404.tif 000004
【図４】
0004943404.tif 000005
【図５】
0004943404.tif 000006
【図６】
0004943404.tif 000007
【図７】
0004943404.tif 000008
【図８】
0004943404.tif 000009
【図９】
0004943404.tif 000010
【図１０】
0004943404.tif 000011
【図１１】
0004943404.tif 000012
【図１２】
0004943404.tif 000013
【図１３】
0004943404.tif 000014
【図１４】
0004943404.tif 000015
【図１５】
0004943404.tif 000016
【図１６】
0004943404.tif 000017